(57)【要約】【課題】  きわめて簡単に設置でき、多人数が同時に遊べ、遊びを通して幼児の身体的運動機能の発育を促すとともに、幼児の情緒面の発育をも促すことができるシート地を主体とした安全な遊具を提供することを目的とする。【解決手段】  同一形状を有する４枚のシートを、２枚２列に並べて互いに接するそれぞれの辺を縫着して１枚のシートとして形成し、前記１枚のシートの四隅部または中央部を吊下げて所定の位置に固定することによって、２通りのテントハウスを幼児に提供し、幼児が遊び方を工夫できるようにした。【選択図】  図２
2005240407.tif 000002
【特許請求の範囲】
【請求項１】
方形のシートと、吊下げ具と、複数個の固定具とからなり、
前記シートの四隅部または中央部は、前記吊下げ具により吊下げられて所定の高さ位置に維持され、
地面または床面に接している前記シートは、前記複数個の固定具により押し広げられて空間が形成されることを特徴とする幼児用テント遊具。
【請求項２】
前記シートは、同一形状を有する４枚のシートを２枚２列に並べて互いに接するそれぞれの辺を縫着し、１枚のシートに形成されたことを特徴とする請求項１に記載の幼児用テント遊具。
【請求項３】
前記シートの前記四隅部が１箇所に繋縛されて前記吊下げ具により吊下げられ、
地面または床面に接している前記シートの四辺のそれぞれの中央部が前記シートの中心方向に外側に折り返され、
前記吊下げ具により吊下げられた前記シートの吊下げ端部と地面または床面に接する前記折り返された前記シートの四辺がそれぞれの中央部により形成された二等辺三角形状を呈し、その開口部の底辺の両端部が、前記シートの中心部から放射状方向に向けて押し広げられて前記複数個の固定具により地面または床面に固定されていることを特徴とする請求項１または請求項２に記載の幼児用テント遊具。
【請求項４】
前記シートの前記中央部が前記吊下げ具により所定の高さ位置に吊下げられ、
前記シートの前記四隅部が、前記シートの中心部から放射状方向に向けて押し広げられて前記複数個の固定具により地面または床面に固定されていることを特徴とする請求項１または請求項２に記載の幼児用テント遊具。
【発明の詳細な説明】
【技術分野】
【０００１】
本願発明は主として就学前の幼児を対象とした遊具に関し、特に、幼児にとっての「お家（うち）」という概念を伴った空間を提供する遊具に関する。
【背景技術】
【０００２】
就学前の幼児を対象とした遊具としては、古くからあるブランコ、すべり台、ジャングルジムなどが知られている。この種の遊具は、主として遊びを通して幼児の身体的運動機能の発育を促すものであり、特開２００３−１２６２８９号公報に記載の遊戯具は、この流れを汲むものである。
図４は特開２００３−１２６２８９号公報に記載の遊戯具の正面図であり、前記公報に記載の図１に相当するものである。図４において、符号１０１は本発明に係る遊戯具、１０２はトランポリン、１０３はシート部材、１０４は支柱、１０５はリング、１０６は紐状部材、１０７は吊輪、１０８は斜材、１０９は水平材である。遊戯具１０１は、支柱１０４を軸心に旋回可能に支柱１０４上部に支えた円環状のリング１０５と、リング１０５の周方向に適切な隣接間隔をもってリング１０５から吊り下げた複数の伸縮自在な紐状部材１０６それぞれに連結する吊輪１０７と、吊輪１０７を持った遊戯者が飛び跳ねられるように支柱１０４回りに設けられたシート部材１０３からなるトランポリン１０２を備えてなるものである。そして、遊戯具１０１は、幼児も安全に、楽しく吊輪を持ってその場で、あるいは周方向に回転移動しながら飛び跳ねて、種々の遊びや演技を集団で楽しく行うことができる、と説明されている。本発明は、その構成要素にシートを使用しているが、シートはトランポリンのシート部材としての用途に限定されている。
【０００３】
一方、幼児の情緒面の発育と社会的適応能力を促す遊びの一つとして「ままごと」があり、この「ままごと」遊びを対象とした遊具あるいは玩具として、幼児が実際に出入りできる小型のハウスがある。この種の幼児遊びに使用される小型のハウスとしては、例えば、インターネットのホームページ（http://www.toysrus.co.jp/outdoor/cat_big.sp?ITEM_ID=705861&SUB_ITEM_ID=000&TAB_ID=5&CAT_ID=7&TABLE_NAME=TAB_TOP_0501）上に公開されたものがある。図５は、前記ホームページに掲載された商品名サンシャインプレイハウスと称する小型ハウスの概略を示した斜視図である。図５において、符号２０１は小型ハウス、２０２は扉枠、２０３は扉、２０４は窓、２０５は幼児である。当該小型ハウスは、間口１２２ｃｍ、奥行１２４ｃｍ、高さ９１ｃｍの大きさを有し、内部にはテーブルなども設置されている。
【特許文献１】特開２００３−１２６２８９号公報
【非特許文献１】http://www.toysrus.co.jp/outdoor/cat_big.sp?ITEM_ID=705861&SUB_ITEM_ID=000&TAB_ID=5&CAT_ID=7&TABLE_NAME=TAB_TOP_0501
【発明の開示】
【発明が解決しようとする課題】
【０００４】
しかし、前述のブランコ、すべり台、ジャングルジムおよび特開２００３−１２６２８９号公報に記載のものにあっては、設備が比較的大掛かりであり、設置に際しては、経済的、時間的な負担が大きい。また、前述のように、これらの遊具は主として幼児の身体的運動機能の発育を促すものであり、遊びの方法も器具の構成から、ぶら下がる・とびはねるといった運動にある程度限定され、一つの遊具で種々の遊びができるわけではない。
また、前記の小型ハウスにあっては、単に小屋のミニュチア版に過ぎず、同時に遊べる人数もせいぜい３人程度であり、遊びの内容もままごと遊びに限定される。そのため、多人数が同時に遊べず、また、遊びを通して幼児の創造力を養うといった役割を担わせることはできない。
【０００５】
そこで、本願発明は、ブランコ、すべり台、ジャングルジムなどの古典的な遊具に比べてきわめて簡単に設置でき、多人数が同時に遊べ、遊びを通して幼児の身体的運動機能の発育を促すとともに、幼児の情緒面の発育をも促すシートを使用し、年齢差や運動能力のある幼児が混在利用してもきわめて安全性の高い遊具を提供することを目的とする。
【課題を解決するための手段】
【０００６】
上記課題を解決するために、本願請求項１に係る発明は、幼児用テント遊具において、方形のシートと、吊下げ具と、複数個の固定具とからなり、前記シートの四隅部または中央部は、前記吊下げ具により吊下げられて所定の高さ位置に維持され、地面または床面に接している前記シートは、前記複数個の固定具により押し広げられて空間が形成されることを特徴とする。
また、本願請求項２に係る発明は、前記請求項１に係る幼児用テント遊具において、前記シートは、同一形状を有する４枚のシートを２枚２列に並べて互いに接するそれぞれの辺を縫着し、１枚のシートに形成されたことを特徴とする。
また、本願請求項３に係る発明は、前記請求項１または請求項２に係る幼児用テント遊具において、前記シートの前記四隅部が１箇所に繋縛されて前記吊下げ具により吊下げられ、地面または床面に接している前記シートの四辺のそれぞれの中央部が前記シートの中心方向に外側に折り返され、前記吊下げ具により吊下げられた前記シートの吊下げ端部と地面または床面に接する前記折り返された前記シートの四辺がそれぞれの中央部により形成された二等辺三角形状を呈し、その開口部の底辺の両端部が、前記シートの中心部から放射状方向に向けて押し広げられて前記複数個の固定具により地面または床面に固定されていることを特徴とする。
さらに、本願請求項４に記載の幼児用テント遊具は、前記請求項１または請求項２に係る幼児用テント遊具において、前記シートの前記中央部が前記吊下げ具により所定の高さ位置に吊下げられ、前記シートの前記四隅部が、前記シートの中心部から放射状方向に向けて押し広げられて前記複数個の固定具により地面または床面に固定されていることを特徴とする。
【発明の効果】
【０００７】
本願請求項１に係る幼児用テント遊具は、方形のシートと、前記シートを吊下げる吊下げ具と、地面または床面に接している前記シートを地面または床面に固定する固定具からなっており、ここでいう吊下げ具とは、たとえば吊下げ紐と、吊下げ紐を捲回させることができるような建築物内外の梁等の横架材や吊下げ紐を引っ掛けることができるような建築物の独立柱等を示していて、所定の耐力を以って前記シートを所定の位置に吊下げ固定できるような場合を含む概念であり、既存のものを使用することにより、きわめて簡単に作り出すことができる。そして、設置に際しては、方形のシートはその一部が地面または床面に置かれていることから、概ね、方形のシートの１／２程度の重量を持ち上げる力があれば吊上げることができるため、非力な者でも独力で設置することが可能である。
【０００８】
そして、本願請求項２に係る幼児用テント遊具は、方形のシートが同一形状を有する４枚のシートから構成されている。そのため、１枚ごとにシートの色彩を変えることにより、テント遊具自体がカラフルになり、色の組み合わせによっては幼児の心理にも影響を与え遊びを楽しく増進させることができる。また、透明なシートを組み込むことにより外部から中の様子を伺えるため、幼児の状態を常に外から監視でき、安全性も確保できる。さらに、シートの製造に際しては、１／４の大きさのシートを製造すればよく、縫製などの作業がしやすいという効果も生じる。
【０００９】
また、本願請求項３に係る幼児用テント遊具は、シートの中心部を地上または床上に置いた状態でシートの四隅部を吊下げているため、シートの４辺それぞれは外側に向けて二等辺三角形状の開口部を形成し、内部にシートに囲まれた空間を現出する。そして、前記開口部の底辺の両端部を、前記シートの中心部から放射状方向に向けて押し広げられて地面または床面に固定し、シートの４辺のそれぞれの中央部をシートの中心方向に折り返しているため、前記の二等辺三角形状の開口部は、しっかりとした形状を保持する。この際、シートの四辺の折り返し部分に弾力性を有する合成樹脂製の細棒を組み込むことにより、開口部の形状はさらにしっかりとしたものとなる。また、シートの四辺のそれぞれの中央部を上に向けて折り返さずに、下に向けて折り返せば、折り返された端部が開口部に現れることがないため、幼児が開口部を通じてテント遊具内に出入りする際の邪魔にならず、スムーズに出入りできる。
【００１０】
さらに、本願請求項４に係る幼児用テント遊具は、シートの中央部を吊下げ、四隅部のそれぞれを放射状方向に向けて押し広げられて地面または床面に固定するため、四角錐のピラミッド状となり、内部にシートに囲まれた空間を現出する。本発明においては同一形状の４枚のシートを縫着したものを使用しているため、ピラミッド状のそれぞれの面にはシート同士の縫着部分が、ピラミッド状の頂部から底辺にかけて現れる。そして、この縫着部分の一部を解除することにより、開口部が形成され、幼児がテント遊具内に出入りすることができるようになる。
さらに、本発明に係るテント遊具を縦横に複数連接すれば、トンネル状の通路が縦横に現出し、幼児の新たな遊び空間が現出する。
【００１１】
上述のように、本願発明を構成する吊下げ具は既存のものが使用できるので、きわめて簡単に組立てられるとともに、きわめて簡単に解体でき、解体後はシートのみを折畳んで収納すればよいので、場所を取らずにどこにでも収納できる。
【発明を実施するための最良の形態】
【００１２】
まず、本願発明を実施するための最良の形態に係る第１の実施例および第２の実施例の幼児用テント遊具に使用されるシートについて、図１に基づいて詳細に説明する。
図１は、本願請求項２に係るシートの構成図であり、符号２０は本願請求項２に係るシート、符号２１はシート２０を構成する個々のシート、符号２２ａ、２２ｂ、２２ｃは個々のシート２１、２１、・・・の四隅に穿設された挿通孔、符号３０は個々のシート２１の隣接する辺同士を縫着する縫着体、符号２３は個々のシート２１のひとつに設置された小窓である。
【００１３】
縫着体３０は一方の個々のシート２１の周縁部に突設された雌縫着子３１、他方の個々のシート２１の周縁部に突設された雄縫着子３２および雌縫着子３１の先端に取着された２個のリング３３から構成されている。雌縫着子３１は、布テープを２個のリング３３を挿通させて折り返し、折り返した端部を個々のシート２１の周縁部に縫着させて突設させている。また、雄縫着子３２は、布テープの一端を個々のシート２１の周縁部に縫着させて他端をフリーとし、個々のシート２１の周縁部から突設させている。
そして、フリーとなっている雄縫着子３２の先端を２個のリング３３に挿通させた後、折り返して２個のリング３３間を縫うようにしてくぐらせることにより、雌縫着子３１と雄縫着子３２は連結される。このようにして、個々のシート２１、２１、・・・は互いに縫着してシート２０が形成される。
なお、本実施例においては、上述のような方法で個々のシート同士を縫着しているが、１個々のシート２１の周縁部に複数の挿通孔を等間隔に設けて対向する挿通孔を紐で結ぶ方法、2個々のシート２１同士を面ファスナーで連結する方法、３個々のシート２１同士をスライドファスナーで連結する方法、などでも良いことは勿論であるが、１の方法では、着脱に手間と時間が掛かり、２の方法では、幼児の激しい動きによって容易に外れてしまい、３の方法では、スライドファスナーに小石等がはさまれて壊れやすくなることから、実施例の方法がより好ましい。
【００１４】
上述のように、シート２０は４枚の個々のシート２１を２枚２列に並べてそれぞれの辺を縫着することにより製作されているが、９枚の個々のシート２１を３枚３列、あるいは１６枚の個々のシート２１を４枚４列に並べてシート２０を形成しても良い。
また、前述のように個々のシート２１の色を様々に変えたり、個々のシート２１に透明なシートを使用したり、あるいは実施例のように個々のシート２１に小窓２３を設けたりするなど、個々のシート２１の組み合わせを変えることにより、シート２０に変化をもたせることができる。
なお、実施例においては、個々のシート２１は一辺が１，７００ｍｍの正方形であり、シート２０は一辺が３，４５０ｍｍの正方形となっているが、この大きさは、第１の実施例および第２の実施例のようにテント遊具として組立てた場合に、幼児が「お家（うち）」として認識できる大きさから決められている。
【００１５】
つぎに、本願発明を実施するための最良の形態に係る第１の実施例の幼児用テント遊具について、図１および図２に基づいて詳細に説明する。図１については前述の通りであり、図２は第１の実施例の幼児用テント遊具の正面図であるが、図２において、図１と同一の要素は同一の符号を付してその説明を省略する。図２において、符号１１は組立てられた第１の実施例の幼児用テント遊具、符号４１は吊紐、符号４２は出入口、符号４３はシート２０の折り返し部である。
【００１６】
まず、幼児用テント遊具１１の組立て方法について説明する。図１に示す折り返し線４４に沿ってシート２０を谷折りし、折り返した先端をシート２０に止着させる。止着手段としては、ピン止め、ボタン止め、面ファスナー止め等、いずれの手段も採用することができる。
上述のように、４辺を折り返し線４４に沿って谷折りして止着させた後、シート２０を裏返して４つの挿通孔２２ｃに吊紐４１を挿通させて１箇所に繋縛する。そして、吊紐４１  の一端を図示外の建屋の梁に捲回させて約１,７００ｍｍの高さまで吊上げ、形成された二等辺三角形の出入口４２を外部に向けて押し広げて形を整えることによって、幼児用テント遊具１１の組立ては完了する。この実施例では、吊下げ具は建屋の梁と吊紐から構成されているが、独立柱を利用することもできる。この場合、個々のシート２１、２１、・・・を独立柱の根元を挟んで並べてシート２０を製作するか、独立柱から幼児用テント遊具１１を吊下げた後に、個々のシート２１の周縁部を縫着している一列の縫着体３０、３０、・・・を解除して、独立柱を取り囲むようにしても良い。
したがって、幼児用テント遊具１１は、地面または床面が平坦であれば、どのような場所であってもきわめて簡単に設置できる。また、横架材から吊下げる方法であれば、４枚のシートを縫着したシートを使用せずに、１枚のシートであっても使用できる。
【００１７】
前記のようにして組み立てられた幼児用テント遊具１１の内部は、十字形の通路が形成され、シート地を通して色彩のある柔らかな日光が射し込むため、幻想的な空間が現出される。また、出入口４２の下部の両端を地面あるいは床面に固定しているので、外部はシート地で構成された斜面となり、幼児がよじ登ったりすべり降りたりして遊ぶことができる。出入口４２下部の両端の固定方法としては、地面に打ち込んだアンカーあるいは床面に取設したフックに固定しても良いし、所定の重量を有する重しなどで固定しても良い。
【００１８】
つぎに、本願発明を実施するための最良の形態に係る第２の実施例の幼児用テント遊具について、図１および図３に基づいて詳細に説明する。図１については前述の通りであり、図３は第２の実施例の幼児用テント遊具の正面図であるが、図３において、図１および図２と同一の要素は同一の符号を付してその説明を省略する。図３において、符号１２は組立てられた第２の実施例の幼児用テント遊具、符号４３は吊輪、符号５１は出入り口である。
【００１９】
まず、幼児用テント遊具１２の組立て方法について説明する。地上または床上に置かれたシート２０の４つの挿通孔２２ａに吊輪４３を挿通させ、さらに吊輪４３に吊紐４１を挿通させて、吊紐４１の一端を図示外の建屋の梁に捲回させて約１，７００ｍｍの高さまで吊上げ、４つの挿通孔２２ｃをシート２０の中央部から放射状方向に向けて押し広げて地面または床面に固定することによって、幼児用テント遊具１２の組立ては完了する。本実施例においては、吊輪４３を介して幼児用テント遊具１２を吊下げているが、第１の実施例と同様に、直接、吊紐４１を挿通孔２２ａに挿通させて吊下げても良いことは勿論である。そして、挿通孔２２ｃの固定方法としては、地面に打ち込んだアンカーあるいは床面に取設したフックに固定するか、あるいは挿通孔２２ｃに所定の重量を有する重しに結着し固定しても良い。
また、出入り口５１は、四角錘のピラミッド状となった４面に現れたシート同士の縫着部分の一部の縫着体３０を解除して形成することができる。
吊下げ具については、第１の実施例で説明したとおりであるので、説明を省略する。また、本実施例においても、吊下げ具として独立柱を利用することができ、幼児用テント遊具１２は、第１の実施例と同様、地面または床面が平坦であれば、建築の内外を問わず、どのような場所であってもきわめて簡単に設置できる。
【００２０】
前記のようにして組み立てられた幼児用テント遊具１２の内部は、床面が四角形となる空間が形成され、シート地を通して色彩のある柔らかな日光が射し込むため、第１の実施例と同様、幻想的な空間が現出される。また、幼児用テント遊具１２をピラミッド状の底辺同士が接するように縦横に組立てて、出入口５１の下端にある挿通孔２２ｃ同士を縫着すれば、幼児用テント遊具１２、１２、・・・の内部には縦横にトンネル状の通路が張り巡らされた新たな空間が提供され、遊びを通して幼児の創造力を養うことができる。
【図面の簡単な説明】
【００２１】
【図１】図１は、本願請求項２に係るシートの構成図である。
【図２】図２は、第１の実施例に係る幼児用テント遊具の正面図である。
【図３】図３は、第２の実施例に係る幼児用テント遊具の正面図である。
【図４】図４は、特開２００３−１２６２８９号公報に記載の遊戯具の正面図である。
【図５】図５は、この種の従来例としての小型ハウスの写真である。
【符号の説明】
【００２２】
１１  第１の実施例の幼児用テント遊具
１２  第２の実施例の幼児用テント遊具
２０  シート
２１  個々のシート
２２  挿通孔
３０  縫着体
４１  吊紐
４２  第１の実施例の幼児用テント遊具の出入り口
５１  第２の実施例の幼児用テント遊具の出入り口
【図１】
2005240407.tif 000003
【図２】
2005240407.tif 000004
【図３】
2005240407.tif 000005
【図４】
2005240407.tif 000006
【図５】
2005240407.tif 000007